【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
第１の無線機または第２の無線機のうちの少なくとも１つを介してフレームを取得するように構成された少なくとも１つのインターフェース、ここにおいて、前記フレームは、受信機アドレスを備え、前記少なくとも１つのインターフェースは、前記第１の無線機が第１の電力状態にある間に、前記第２の無線機を介して他の装置から前記フレームを取得し、前記少なくとも１つのインターフェースは、前記第２の無線機が前記フレームをリッスンすべきであるときを識別する周期スケジュールに従って前記他の装置から前記フレームを取得する、と、
前記フレーム中に含まれる認証コードがローカル認証コードに一致するか否かと、前記装置が前記フレームのターゲットにされた受信側であるか否かとに基づいて、１つまたは複数のアクションをとる
ように構成された処理システム、ここにおいて、前記１つまたは複数のアクションは、前記第１の無線機に、前記フレーム中に含まれる前記認証コードが前記ローカル認証コードに一致し、前記装置が前記フレームのターゲットされた受信側であることを前記受信機アドレスが示すときに、前記第１の電力状態から出ることを行わせることを備える、と、
を備える、装置。
【請求項２】
前記処理システムが、前記他の装置との前の通信から決定されたトランジェント鍵（ＴＫ）から前記ローカル認証コードを導出するように構成された、請求項１に記載の装置。
【請求項３】
前記処理システムが、前記他の装置との前の通信から決定された前記他の装置の送信機アドレスから前記ローカル認証コードを導出するように構成された、請求項１に記載の装置。
【請求項４】
前記処理システムは、前記装置が前記フレームのターゲットにされた受信側でないことを前記受信機アドレスが示す場合、前記第１の無線機を前記第１の電力状態に保つように構成された、
請求項１に記載の装置。
【請求項５】
前記少なくとも１つのインターフェースが、前記他の装置から前記ローカル認証コードを取得するようにさらに構成された、請求項１に記載の装置。
【請求項６】
前記１つまたは複数のアクションが、前記フレーム中の時間値に基づいて前記装置のクロックを設定することを備える、請求項１に記載の装置。
【請求項７】
前記フレームがシーケンス番号を備え、
前記１つまたは複数のアクションは、前記シーケンス番号がしきい値に等しいかまたはそれを超える場合、前記フレーム中の時間値に基づいて前記装置のクロックを設定することを備える、
請求項６に記載の装置。
【請求項８】
前記処理システムは、前記シーケンス番号を前記しきい値と比較し、前記シーケンス番号が前記しきい値に等しいかまたはそれを超える場合、その後、前記シーケンス番号をリセットするように構成された、請求項７に記載の装置。
【請求項９】
前記処理システムは、前記１つまたは複数のアクションが、前記第１の無線機に前記第１の電力状態から出ることを行わせる場合、前記シーケンス番号をリセットするように構成された、請求項７に記載の装置。
【請求項１０】
ワイヤレス通信のための装置であって、
他の装置との通信を介して取得された前記他の装置の能力情報に基づいて、第１の無線機が第１の電力状態にある間に、前記他の装置が第２の無線機を介してフレームを受信することが可能であるかどうかを決定することと、
前記決定に基づいて、フレームを認証するために使用されるべき認証コードを備える前記フレームを生成すること、ここにおいて、前記フレームは、前記他の装置の受信機アドレスに基づいて生成される、と、
を行うように構成された処理システムと、
前記他の装置への送信のために前記フレームを出力するように構成された少なくとも１つのインターフェース、ここにおいて、前記フレームが、前記フレームをリッスンするために前記他の装置において前記第２の無線機のために確立された周期スケジュールに従って送信のために出力される、と、
を備える、装置。
【請求項１１】
前記処理システムが、前記他の装置との前の通信から決定されたトランジェント鍵（ＴＫ）から前記認証コードを導出するように構成された、請求項１０に記載の装置。
【請求項１２】
前記処理システムが、前記装置の送信機アドレスから前記認証コードを導出するように構成された、請求項１０に記載の装置。
【請求項１３】
前記処理システムが、前記他の装置への前記フレームの送信の後に前記第１の無線機を介して前記他の装置と通信するようにさらに構成された、請求項１０に記載の装置。
【請求項１４】
前記処理システムが、前記認証コードを備える他のフレームを生成するようにさらに構成され、前記少なくとも１つのインターフェースが、前記第１の無線機を介した前記他の装置への送信のために前記他のフレームを出力するようにさらに構成された、請求項１０に記載の装置。
【請求項１５】
前記フレームが前記装置の時間値を備える、請求項１０に記載の装置。
【請求項１６】
前記フレームがシーケンス番号を備え、ここにおいて、前記シーケンス番号が時間値のセット中の前記時間値の位置を示し、
前記処理システムが、前記他の装置との通信に基づいて前記シーケンス番号を生成するようにさらに構成された、
請求項１５に記載の装置。
【請求項１７】
ユーザ端末であって、
少なくとも１つのアンテナと、
前記少なくとも１つのアンテナを使用して第１の無線機または第２の無線機のうちの少なくとも１つを介してフレームを取得するように構成された少なくとも１つのインターフェース、ここにおいて、前記フレームは、受信機アドレスを備え、前記少なくとも１つのインターフェースは、前記第１の無線機が第１の電力状態にある間に、前記第２の無線機を介して他の装置から前記フレームを取得し、前記少なくとも１つのインターフェースは、前記第２の無線機が前記フレームをリッスンすべきであるときを識別する周期スケジュールに従って前記他の装置から前記フレームを取得する、と、
前記フレーム中に含まれる認証コードがローカル認証コードに一致するか否かと、前記装置が前記フレームのターゲットにされた受信側であるか否かとに基づいて、１つまたは複数のアクションをとる
ように構成された処理システム、ここにおいて、前記１つまたは複数のアクションは、前記第１の無線機に、前記フレーム中に含まれる前記認証コードが前記ローカル認証コードに一致し、前記装置が前記フレームのターゲットされた受信側であることを前記受信機アドレスが示すときに、前記第１の電力状態から出ることを行わせることを備える、と、
を備える、ユーザ端末。
【請求項１８】
前記少なくとも１つのインターフェースに結合された少なくとも１つのアンテナをさらに備え、ここにおいて、前記フレームは、前記少なくとも１つのアンテナを介して送信され、前記装置は、アクセスポイントとして構成される、請求項１０に記載の装置。
【手続補正２】
【補正対象書類名】明細書
【補正対象項目名】０１８１
【補正方法】変更
【補正の内容】
【０１８１】
[0204]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に本願の出願当初の特許請求の範囲に記載された発明を付記する。
［Ｃ１］
ワイヤレス通信のための装置であって、
第１の無線機または第２の無線機のうちの少なくとも１つを介してフレームを取得するように構成された少なくとも１つのインターフェース、ここにおいて、前記少なくとも１つのインターフェースは、前記第１の無線機が第１の電力状態にある間に、前記第２の無線機を介して他の装置から前記フレームを取得する、と、
前記フレーム中に含まれる認証コードがローカル認証コードに一致するか否かに基づいて、１つまたは複数のアクションをとる
ように構成された処理システムと、
を備える、装置。
［Ｃ２］
前記処理システムが、前記他の装置との前の通信から決定されたトランジェント鍵（ＴＫ）から前記ローカル認証コードを導出するように構成された、Ｃ１に記載の装置。
［Ｃ３］
前記処理システムが、前記他の装置との前の通信から決定された前記他の装置の送信機アドレスから前記ローカル認証コードを導出するように構成された、Ｃ１に記載の装置。
［Ｃ４］
前記フレームが受信機アドレスを備え、
前記処理システムは、前記装置が前記フレームのターゲットにされた受信側でないことを前記受信機アドレスが示す場合、前記第１の無線機を前記第１の電力状態に保つように構成された、
Ｃ１に記載の装置。
［Ｃ５］
前記１つまたは複数のアクションが、前記第１の無線機に前記第１の電力状態から出ることを行わせることを備える、Ｃ１に記載の装置。
［Ｃ６］
前記少なくとも１つのインターフェースが、前記他の装置から前記ローカル認証コードを取得するようにさらに構成された、Ｃ１に記載の装置。
［Ｃ７］
前記少なくとも１つのインターフェースが、前記他の装置からローカル認証コードのリストを取得するようにさらに構成され、前記リストが前記ローカル認証コードを含む、Ｃ１に記載の装置。
［Ｃ８］
前記１つまたは複数のアクションが、前記フレーム中の時間値に基づいて前記装置のクロックを設定することを備える、Ｃ１に記載の装置。
［Ｃ９］
前記フレームがシーケンス番号を備え、
前記１つまたは複数のアクションは、前記シーケンス番号がしきい値に等しいかまたはそれを超える場合、前記フレーム中の時間値に基づいて前記装置のクロックを設定することを備える、
Ｃ１に記載の装置。
［Ｃ１０］
前記処理システムは、前記シーケンス番号を前記しきい値と比較し、前記シーケンス番号が前記しきい値に等しいかまたはそれを超える場合、その後、前記シーケンス番号に基づいて前記しきい値を調整するように構成された、Ｃ９に記載の装置。
［Ｃ１１］
前記処理システムは、前記１つまたは複数のアクションが、前記第１の無線機に前記第１の電力状態から出ることを行わせる場合、前記しきい値をリセットするように構成された、Ｃ９に記載の装置。
［Ｃ１２］
ワイヤレス通信のための装置であって、
他の装置との通信を介して取得された前記他の装置の能力情報に基づいて、第１の無線機が第１の電力状態にある間に、前記他の装置が第２の無線機を介してフレームを受信することが可能であるかどうかを決定することと、
前記決定に基づいて、フレームを認証するために使用されるべき認証コードを備える前記フレームを生成することと、
を行うように構成された処理システムと、
前記他の装置への送信のために前記フレームを出力するように構成された少なくとも１つのインターフェースと、
を備える、装置。
［Ｃ１３］
前記処理システムが、前記他の装置との前の通信から決定されたトランジェント鍵（ＴＫ）から前記認証コードを導出するように構成された、Ｃ１２に記載の装置。
［Ｃ１４］
前記処理システムが、前記装置の送信機アドレスから前記認証コードを導出するように構成された、Ｃ１２に記載の装置。
［Ｃ１５］
前記処理システムが、前記他の装置の受信機アドレスに基づいて前記フレームを生成するようにさらに構成された、Ｃ１２に記載の装置。
［Ｃ１６］
前記処理システムが、前記他の装置への前記フレームの送信の後に前記第１の無線機を介して前記他の装置と通信するようにさらに構成された、Ｃ１２に記載の装置。
［Ｃ１７］
前記処理システムが、前記認証コードを備える他のフレームを生成するようにさらに構成され、前記少なくとも１つのインターフェースが、前記第１の無線機を介した前記他の装置への送信のために前記他のフレームを出力するようにさらに構成された、Ｃ１２に記載の装置。
［Ｃ１８］
前記処理システムが、前記認証コードを含む認証コードのリストを備える１つまたは複数の他のフレームを生成するようにさらに構成され、前記少なくとも１つのインターフェースが、前記第１の無線機を介した前記他の装置への送信のために前記１つまたは複数の他のフレームを出力するようにさらに構成された、Ｃ１２に記載の装置。
［Ｃ１９］
前記フレームが前記装置の時間値を備える、Ｃ１２に記載の装置。
［Ｃ２０］
前記フレームがシーケンス番号を備え、ここにおいて、前記シーケンス番号が時間値のセット中の前記時間値の位置を示し、
前記処理システムが、前記他の装置との通信に基づいて前記シーケンス番号を生成するようにさらに構成された、
Ｃ１９に記載の装置。
［Ｃ２１］
前記処理システムは、前記他の装置との直近の通信が前記第１の無線機を介したものであった場合、前記シーケンス番号を初期化するようにさらに構成された、Ｃ２０に記載の装置。
［Ｃ２２］
ワイヤレス通信のための装置であって、
第１の無線機が第１の電力状態にある間に、第２の無線機を介して他の装置からフレームを受信するための手段と、
前記フレーム中に含まれる認証コードがローカル認証コードに一致するか否かに基づいて、１つまたは複数のアクションをとるための手段と、
を備える、装置。
［Ｃ２３］
前記他の装置との前の通信から決定されたトランジェント鍵（ＴＫ）から前記ローカル認証コードを導出するための手段
をさらに備える、Ｃ２２に記載の装置。
［Ｃ２４］
前記他の装置との前の通信から決定された前記他の装置の送信機アドレスから前記ローカル認証コードを導出するための手段
をさらに備える、Ｃ２２に記載の装置。
［Ｃ２５］
前記フレームが受信機アドレスを備え、
前記１つまたは複数のアクションは、前記装置が前記フレームのターゲットにされた受信側でないことを前記受信機アドレスが示す場合、前記第１の無線機を前記第１の電力状態に保つことを備える、
Ｃ２２に記載の装置。
［Ｃ２６］
前記１つまたは複数のアクションが、前記第１の無線機に前記第１の電力状態から出ることを行わせることを備える、Ｃ２２に記載の装置。
［Ｃ２７］
前記他の装置から前記ローカル認証コードを取得するための手段
をさらに備える、Ｃ２２に記載の装置。
［Ｃ２８］
前記他の装置からローカル認証コードのリストを取得するための手段をさらに備え、前記リストが前記ローカル認証コードを含む、
Ｃ２２に記載の装置。
［Ｃ２９］
前記１つまたは複数のアクションが、前記フレーム中の時間値に基づいて前記装置のクロックを設定することを備える、Ｃ２２に記載の装置。
［Ｃ３０］
前記フレームがシーケンス番号を備え、
前記１つまたは複数のアクションは、前記シーケンス番号がしきい値に等しいかまたはそれを超える場合、前記フレーム中の時間値に基づいて前記装置のクロックを設定することを備える、
Ｃ２９に記載の装置。
［Ｃ３１］
前記１つまたは複数のアクションは、前記シーケンス番号を前記しきい値と比較することと、前記シーケンス番号が前記しきい値に等しいかまたはそれを超える場合、その後、前記シーケンス番号に基づいて前記しきい値を調整することとを備える、Ｃ３０に記載の装置。
［Ｃ３２］
前記１つまたは複数のアクションは、前記１つまたは複数のアクションが、前記第１の無線機に前記第１の電力状態から出ることを行わせる場合、前記しきい値をリセットすることを備える、Ｃ３０に記載の装置。
［Ｃ３３］
ワイヤレス通信のための装置であって、
他の装置との通信を介して取得された前記他の装置の能力情報に基づいて、第１の無線機が第１の電力状態にある間に、前記他の装置が第２の無線機を介してフレームを受信することが可能であるかどうかを決定するための手段と、
前記決定に基づいて、フレームを認証するために使用されるべき認証コードを備える前記フレームを生成するための手段と、
前記他の装置に前記フレームを送信するための手段と、
を備える、装置。
［Ｃ３４］
前記他の装置との前の通信から決定されたトランジェント鍵（ＴＫ）から前記認証コードを導出するための手段
をさらに備える、Ｃ３３に記載の装置。
［Ｃ３５］
前記装置の送信機アドレスから前記認証コードを導出するための手段
をさらに備える、Ｃ３３に記載の装置。
［Ｃ３６］
前記フレームを生成するための前記手段が、前記他の装置の受信機アドレスに基づいて前記フレームを生成する、Ｃ３３に記載の装置。
［Ｃ３７］
前記第１の無線機を介して前記他の装置と通信するための手段
をさらに備える、Ｃ３３に記載の装置。
［Ｃ３８］
前記認証コードを備える他のフレームを生成するための手段と、
前記第１の無線機を介して前記他の装置に前記他のフレームを送信するための手段と、
をさらに備える、Ｃ３３に記載の装置。
［Ｃ３９］
前記認証コードを含む認証コードのリストを備える１つまたは複数の他のフレームを生成するための手段と、
前記第１の無線機を介して前記他の装置に前記他のフレームを送信するための手段と、
をさらに備える、Ｃ３３に記載の装置。
［Ｃ４０］
前記フレームが前記装置の時間値を備える、Ｃ３３に記載の装置。
［Ｃ４１］
前記他の装置との通信に基づいて、時間値のセット中の前記時間値の位置を示すシーケンス番号を生成するための手段をさらに備え、ここにおいて、
前記フレームを生成するための前記手段が前記フレーム中の前記シーケンス番号を含む、
Ｃ４０に記載の装置。
［Ｃ４２］
前記シーケンス番号を生成するための前記手段は、前記他の装置との直近の通信が前記第１の無線機を介したものであった場合、前記シーケンス番号を初期化する、Ｃ４１に記載の装置。
［Ｃ４３］
ワイヤレス通信のための方法であって、
第１の無線機が第１の電力状態にある間に、第２の無線機を介して他の装置からフレームを受信することと、
前記フレーム中に含まれる認証コードがローカル認証コードに一致するか否かに基づいて、１つまたは複数のアクションをとることと、
を備える、方法。
［Ｃ４４］
前記他の装置との前の通信から決定されたトランジェント鍵（ＴＫ）から前記ローカル認証コードを導出すること
をさらに備える、Ｃ４３に記載の方法。
［Ｃ４５］
前記他の装置との前の通信から決定された前記他の装置の送信機アドレスから前記ローカル認証コードを導出すること
をさらに備える、Ｃ４３に記載の方法。
［Ｃ４６］
前記フレームが受信機アドレスを備え、
前記１つまたは複数のアクションは、前記装置が前記フレームのターゲットにされた受信側でないことを前記受信機アドレスが示す場合、前記第１の無線機を前記第１の電力状態に保つことを備える、
Ｃ４３に記載の方法。
［Ｃ４７］
前記１つまたは複数のアクションが、前記第１の無線機に前記第１の電力状態から出ることを行わせることを備える、Ｃ４３に記載の方法。
［Ｃ４８］
前記他の装置から前記ローカル認証コードを取得すること
をさらに備える、Ｃ４３に記載の方法。
［Ｃ４９］
前記他の装置から、前記認証コードを含むローカル認証コードのリストを取得すること
をさらに備える、Ｃ４３に記載の方法。
［Ｃ５０］
前記１つまたは複数のアクションが、前記フレーム中の時間値に基づいて前記装置のクロックを設定することを備える、Ｃ４３に記載の方法。
［Ｃ５１］
前記フレームがシーケンス番号を備え、
前記１つまたは複数のアクションは、前記シーケンス番号がしきい値に等しいかまたはそれを超える場合、前記フレーム中の前記時間値に基づいて前記装置のクロックを設定することを備える、
Ｃ５０に記載の方法。
［Ｃ５２］
前記シーケンス番号を前記しきい値と比較することと、
前記シーケンス番号が前記しきい値に等しいかまたはそれを超える場合、その後、前記シーケンス番号に基づいて前記しきい値を調整することと、
をさらに備える、Ｃ５１に記載の方法。
［Ｃ５３］
前記１つまたは複数のアクションは、前記１つまたは複数のアクションが、前記第１の無線機に前記第１の電力状態から出ることを行わせる場合、前記しきい値をリセットすることを備える、Ｃ５１に記載の方法。
［Ｃ５４］
ワイヤレス通信のための方法であって、
他の装置との通信を介して取得された前記他の装置の能力情報に基づいて、第１の無線機が第１の電力状態にある間に、前記他の装置が第２の無線機を介してフレームを受信することが可能であるかどうかを決定することと、
前記決定に基づいて、フレームを認証するために使用されるべき認証コードを備える前記フレームを生成することと、
前記他の装置に前記フレームを送信することと、
を備える、方法。
［Ｃ５５］
前記他の装置との前の通信から決定されたトランジェント鍵（ＴＫ）から前記認証コードを導出すること
をさらに備える、Ｃ５４に記載の方法。
［Ｃ５６］
前記装置の送信機アドレスから前記認証コードを導出すること
をさらに備える、Ｃ５４に記載の方法。
［Ｃ５７］
前記フレームを生成することが、前記他の装置の受信機アドレスに基づいて前記フレームを生成することを備える、Ｃ５４に記載の方法。
［Ｃ５８］
前記他の装置に前記フレームを送信することの後に前記第１の無線機を介して前記他の装置と通信すること
をさらに備える、Ｃ５４に記載の方法。
［Ｃ５９］
前記認証コードを備える他のフレームを生成することと、
前記第１の無線機を介して前記他の装置に前記他のフレームを送信することと、
をさらに備える、Ｃ５４に記載の方法。
［Ｃ６０］
前記認証コードを含む認証コードのリストを備える１つまたは複数の他のフレームを生成することと、
前記第１の無線機を介して前記他の装置に前記他のフレームを送信することと、
をさらに備える、Ｃ５４に記載の方法。
［Ｃ６１］
前記フレームが前記装置の時間値を備える、Ｃ５４に記載の方法。
［Ｃ６２］
前記フレームがシーケンス番号を備え、ここにおいて、前記シーケンス番号が時間値のセット中の前記時間値の位置を示し、
前記方法が、
前記他の装置との通信に基づいて前記シーケンス番号を生成すること
をさらに備える、
Ｃ６１に記載の方法。
［Ｃ６３］
前記シーケンス番号を生成することは、前記他の装置との直近の通信が前記第１の無線機を介したものであった場合、前記シーケンス番号を初期化することを備える、Ｃ６２に記載の方法。
［Ｃ６４］
第１の無線機が第１の電力状態にある間に、第２の無線機を介して装置からフレームを受信することと、
前記フレーム中に含まれる認証コードがローカル認証コードに一致するか否かに基づいて、１つまたは複数のアクションをとることと、
を行うための命令を記憶したコンピュータ可読媒体を備えるワイヤレス通信のためのコンピュータプログラム製品。
［Ｃ６５］
装置との通信を介して取得された前記装置の能力情報に基づいて、第１の無線機が第１の電力状態にある間に、前記装置が第２の無線機を介してフレームを受信することが可能であるかどうかを決定することと、
前記決定に基づいて、フレームを認証するために使用されるべき認証コードを備える前記フレームを生成することと、
前記装置に前記フレームを送信することと、
を行うための命令を記憶したコンピュータ可読媒体を備えるワイヤレス通信のためのコンピュータプログラム製品。